(57)【要約】【課題】持ち運びが容易で使用しやすいとともに、起伏のある地面での使用に適するポータブルマットレスを提供する。【解決手段】ポータブルマットレスは、若干の長尺状シート（１０）及び少なくとも２本のソフトロープ（２０）を含み、前記若干の長尺状シートは、間隔をあけて平行に設置され、前記少なくとも２本のソフトロープにより一体に連結してマットレスが構成され、それぞれのシートの底部には当て板（３０）が設けられている。本考案のマットレスは、使用しない場合、持ち運びと保管を簡単にするように、ロール状に巻くことができる。使用する必要がある場合、巻戻されればよく、非常に使用しやすい。剛性が良好で、起伏のある地面で使用でき、屋外でも使用できる。【選択図】図１
0003217253.tif 000002
【実用新案登録請求の範囲】
【請求項１】
若干の長尺状シート（１０）及び少なくとも２本のソフトロープ（２０）を含み、前記若干の長尺状シートは、間隔をあけて平行に設置され、前記少なくとも２本のソフトロープにより一体に連結してマットレスが構成され、それぞれのシートの底部には当て板（３０）が設けられていることを特徴とするポータブルマットレス。
【請求項２】
前記ソフトロープ（２０）は帯状であることを特徴とする請求項１に記載のポータブルマットレス。
【請求項３】
前記ソフトロープ（２０）は、シート（１０）とシート底部の当て板（３０）との間に介在して押圧されていることを特徴とする請求項１に記載のポータブルマットレス。
【請求項４】
前記当て板（３０）はブロック状であり、それぞれのシート（１０）の底部には複数のブロック状の当て板が間隔をあけて分布していることを特徴とする請求項１に記載のポータブルマットレス。
【請求項５】
前記当て板（３０）は長尺状であり、それぞれのシート（１０）の底部には１つの長尺状の当て板が設置されていることを特徴とする請求項１に記載のポータブルマットレス。
【請求項６】
前記当て板は疎水性材質の当て板であることを特徴とする請求項１〜５のいずれかに記載のポータブルマットレス。
【請求項７】
前記当て板は難透水層を含むことを特徴とする請求項１〜５のいずれかに記載のポータブルマットレス。
【考案の詳細な説明】
【技術分野】
【０００１】
本考案は、マットレスに関し、特にポータブルマットレスに関する。
【背景技術】
【０００２】
従来のマットレスは、いずれも一体型であり、例えば、木製ボードマットレス、合板マットレス、スプリングマットレス、パームマットレス、ウォーターマットレス、エアマットレス等が挙げられる。そのうち、木製ボードマットレス、合板マットレス、スプリングマットレス、パームマットレスは、硬質マットレスであり、体積が大きくて重く、屋内でのみの使用に適し、持ち運びが容易ではない。ウォーターマットレス及びエアマットレスは、持ち運びが容易であるが、その剛性が悪く、平らな地面での使用にのみ適しており、使用前に水または圧縮空気を注入する必要があり、使用が面倒である。
【考案の概要】
【考案が解決しようとする課題】
【０００３】
本考案は、持ち運びが容易で使用しやすいとともに、起伏のある地面での使用に適するポータブルマットレスを提供することを目的とする。
【課題を解決するための手段】
【０００４】
上記目的を達成するために、本考案が採用している技術案は下記のとおりである。
【０００５】
ポータブルマットレスであって、若干の長尺状シート（１０）及び少なくとも２本のソフトロープ（２０）を含み、前記若干の長尺状シートは、間隔をあけて平行に設置され、前記少なくとも２本のソフトロープにより一体に連結してマットレスが構成され、それぞれのシートの底部には当て板（３０）が設けられている。
【０００６】
好ましくは、前記ソフトロープ（２０）は帯状である。
【０００７】
好ましくは、前記ソフトロープ（２０）は、シート（１０）とシート底部の当て板（３０）との間に介在して押圧されている。
【０００８】
好ましくは、前記当て板（３０）はブロック状であり、それぞれのシート（１０）の底部には複数のブロック状の当て板が間隔をあけて分布している。
【０００９】
好ましくは、前記当て板（３０）は長尺状であり、それぞれのシート（１０）の底部には１つの長尺状の当て板が設置されている。
【００１０】
好ましくは、前記当て板は疎水性材質の当て板である。
【００１１】
好ましくは、前記当て板は難透水層を含む。
【考案の効果】
【００１２】
従来技術に比べて、本考案は以下の有益な効果を少なくとも有する。
【００１３】
本考案は、使用しない場合、持ち運びと保管を簡単にするように、ロール状に巻くことができる。使用する必要がある場合、巻戻されればよく、非常に使用しやすい。剛性が良好で、起伏のある地面で使用でき、屋外でも使用できる。
【図面の簡単な説明】
【００１４】
【図１】第１の実施例に係るポータブルマットレスの構造模式図である。
【図２】図１におけるＡ部の拡大図である。
【図３】第２の実施例に係るポータブルマットレスの構造模式図である。
【図４】図３におけるＢ部の拡大図である。
【考案を実施するための形態】
【００１５】
以下、図面及び実施例を参照しながら本考案を更に説明する。
第１の実施例：
【００１６】
図１及び図２に示すように、第１の実施例に係るポータブルマットレスは、若干の長尺状シート１０及び２本のソフトロープ２０を含み、前記若干の長尺状シート１０は、間隔をあけて平行に設置され、前記２本のソフトロープ２０により一体に連結してマットレスが構成され、それぞれのシート１０の底部には当て板３０が設けられている。
【００１７】
長尺状シート１０は、木製ボード、竹ボード、プラスチックボード等を使用することができる。
【００１８】
ソフトロープ２０は帯状である。２本のソフトロープ２０はマットレスの両エッジに設置されている。理解できるように、ソフトロープ２０の数は２本に限定されず、より多くのソフトロープを使用してもよく、かつソフトロープは通常の紐であってもよい。
【００１９】
ソフトロープ２０は、シート１０とシート底部の当て板３０との間に介在して押圧されている。当て板３０が、シート１０の底部に接着結合されてもよく、係止、または釘により当て板３０とシート１０が一体に固定されてもよい。
【００２０】
好ましくは、当て板３０は疎水性材質の当て板であり、例えば、プラスチック材質の当て板又は竹ボードが挙げられる。木質の当て板を使用してもよく、そして、木質の当て板に難透水層を設け、例えば、木質の当て板の底部又は頂部にプラスチック層を接着する。このような設計を使用することにより、屋外で使用する場合、水が当て板３０を介してマットレスに浸透することを避けることができる。
【００２１】
当該実施例では、当て板３０はブロック状であり、それぞれのシート１０の底部には複数のブロック状の当て板３０が間隔をあけて分布している。複数のブロック状の当て板３０を使用することにより、さらにマットレスの重量を減らすことができる。
【００２２】
上記マットレスは、使用しない場合、持ち運びと保管を簡単にするように、ロール状に巻くことができる。使用する必要がある場合、巻戻されてマットレスになり、水や圧縮空気を注入する必要がなく、非常に使用しやすい。同時に、ウォーターマットレス、エアマットレスに比べて、当該マットレスは、剛性が良好で、起伏のある地面で使用でき、屋外でも使用できる。
【００２３】
図３及び図４に示すように、第２の実施例に係るポータブルマットレスは、若干の長尺状シート１０及び２本のソフトロープ２０を含み、前記若干の長尺状シート１０は、間隔をあけて平行に設置され、前記２本のソフトロープ２０により一体に連結してマットレスが構成され、それぞれのシート１０の底部には当て板３０が設けられている。
【００２４】
第２の実施例は、第１の実施例と基本的に同じ、第２の実施例では、当て板３０が長尺状である点は異なり、それぞれのシート１０の底部には１つの長尺状の当て板３０が設けられている。このように、第２の実施例は、重量が第１の実施例よりやや重いが、マットレスの剛性が第１の実施例よりやや優れている。
【００２５】
以上は、具体的な実施例で本考案を詳細に説明したが、これらの詳細な説明は、当業者が本考案の内容を理解することを助けるためのものに過ぎず、本考案の保護範囲を制限するものと理解されてはならない。当業者が本考案の構想下で上記技術案に対して行った様々な修正、等価変換等はいずれも本考案の保護範囲内に属すべきである。
【符号の説明】
【００２６】
１０−長尺状シート
２０−ソフトロープ
３０−当て板
【図１】
0003217253.tif 000003
【図２】
0003217253.tif 000004
【図３】
0003217253.tif 000005
【図４】
0003217253.tif 000006